(57)【要約】【課題】所定温度以上の温水による逆浸透膜浄水装置の破損を未然に防止することのできる機構を備えた逆浸透膜浄水装置を提供する。【解決手段】逆浸透膜浄水ユニットに導入される原水の温度が約４０°Ｃ以上の場合に、逆浸透膜浄水ユニットへの原水を遮断する原水遮断ユニット３００を備えている。これにより、家庭等で用いられる場合において、不注意により約４０°Ｃ以上の温水を逆浸透膜浄水ユニットに供給した場合であっても、原水遮断ユニット３００により逆浸透膜浄水ユニットへの温水の供給が遮断され、約４０°Ｃ以上の温水による逆浸透膜浄水ユニットの破損を未然に防止することができる。【選択図】図６
0003148445.tif 000002
【実用新案登録請求の範囲】
【請求項１】
原水取水口（121)および浄水吐出口(122)を含む逆浸透膜浄水ユニット(100)と、
前記原水取水口（121)に至る管路(214)に設けられ、前記逆浸透膜浄水ユニット(100)に導入される原水の温度が所定温度以上の場合に、前記逆浸透膜浄水ユニット(100)への原水の吐出を遮断する原水遮断ユニット(300)と、
を備える、逆浸透膜浄水装置。
【請求項２】
蛇口(50)に連結され、原水をそのまま導出する状態と、原水を前記原水取水口（121)に導き、前記逆浸透膜浄水ユニット(100)によって浄化され前記浄水吐出口(122)から導出された浄水を導出する状態と、の状態切換が可能な切換コック(200)をさらに備える、請求項１に記載の逆浸透膜浄水装置。
【請求項３】
前記原水遮断ユニット(300)は、
前記切換コック(200)に設けられる原水吐出ポート（212)と、前記逆浸透膜浄水ユニット(100)に設けられる原水取水口（121)との間に設けられる、請求項１または２に記載の逆浸透膜浄水装置。
【請求項４】
前記原水遮断ユニット(300)は、
お湯と水道水とを混合する混合栓(52)と蛇口(50)との間に設けられる、請求項１または２に記載の逆浸透膜浄水装置。
【請求項５】
前記原水遮断ユニット(300)は、お湯と水道水とを混合する混合栓(52)から蛇口に至る配管(53)と前記逆浸透膜浄水ユニット(100)に設けられる原水取水口（121)との間に設けられる、請求項１に記載の逆浸透膜浄水装置。
【請求項６】
前記原水遮断ユニット(300)は、
原水取水口(301a)と原水吐出口(301b)とを有する中空のケース部材(301)と、
前記中空のケース部材(301)の内部に設けられ、前記ケース部材(301)の内部を通過する原水の温度が所定温度以下の場合には、前記原水吐出口(301b)を開放する状態となり、前記ケース部材(301)の内部を通過する原水の温度が所定温度以上の場合には、前記原水吐出口(301b)を閉塞する状態となる温度検知部材(303,321)と、を有する請求項１から５のいずれかに記載の逆浸透膜浄水装置。
【請求項７】
前記原水遮断ユニット(300)は、
前記ケース部材(301)内において、前記原水取水口(301a)と前記原水吐出口(301b)との間に固定配置され、原水の通過を許容するベース部材(302)を有し、
前記温度検知部材は、前記ベース部材(302)から前記原水吐出口(301b)に向かって延びるように設けられるコイル状部材(303)を有し、
前記コイル状部材(303)の先端部には、前記原水吐出口(301b)を閉塞することが可能なように設けられる閉塞プレート(304)が設けられ、
前記コイル状部材(303)は、前記ケース部材(301)の内部を通過する原水の温度が所定温度以下の場合には、前記閉塞プレート(304)が前記原水吐出口(301b)を開放する状態となる長さとなり、前記ケース部材(301)の内部を通過する原水の温度が所定温度以上の場合には、前記閉塞プレート(304)が前記原水吐出口(301b)を閉塞する状態となる長さとなる、請求項６に記載の逆浸透膜浄水装置。
【請求項８】
前記温度検知部材は、前記原水吐出口(301b)に設けられる弁状部材(321)を有し、
前記弁状部材(321)は、前記ケース部材(301)の内部を通過する原水の温度が所定温度以下の場合には、前記弁状部材(321)が前記原水吐出口(301b)を開放する状態となり、前記ケース部材(301)の内部を通過する原水の温度が所定温度以上の場合には、前記弁状部材(321)が前記原水吐出口(301b)を閉塞する状態となる、請求項６に記載の逆浸透膜浄水装置。
【請求項９】
前記温度検知部材(303,321)は形状記憶合金である、請求項６から８のいずれかに記載の逆浸透膜浄水装置。
【請求項１０】
前記原水遮断ユニット(300)は、原水の温度が４０度以上の場合に、前記逆浸透膜浄水ユニット(100)への原水を遮断する、請求項１から９のいずれかに記載の逆浸透膜浄水装置。
【請求項１１】
前記逆浸透膜浄水ユニット(100)は、
前記原水取水口（121)から導入された原水を浄化する第１逆浸透膜浄水フィルタ(102)と、
前記第１逆浸透膜浄水フィルタ(102)により浄化されなかった原水を浄化する第２逆浸透膜浄水フィルタ(102)と、
を有する、請求項１から９のいずれかに記載の逆浸透膜浄水装置。
【考案の詳細な説明】
【技術分野】
【０００１】
本考案は、水道水等の原水を浄化するために、逆浸透膜浄水フィルタを用いた逆浸透膜浄水装置に関する。
【背景技術】
【０００２】
逆浸透膜浄水フィルタを用いた逆浸透膜浄水装置の一例として、下記特許文献１（登録実用新案公報第３１０１４２２号）に開示されるものが挙げられる。この逆浸透膜浄水装置は、家庭での使用を前提としており、水道蛇口に直接取り付ける切換コックを有している。
【０００３】
また、家庭の台所で用いられる蛇口には、近年混合水栓が用いられることが多くなっており、適度な温度の温水は直接蛇口から供給される。
【０００４】
一方、逆浸透膜浄水装置に用いられる逆浸透膜フィルタには、セルロースを用いた膜が用いられている。このセルロースは熱に弱く、一般的には約４０°Ｃ以上の温水を用いた場合には、逆浸透膜フィルタに損傷を与えることが知られている。
【０００５】
しかし、家庭の台所で用いられる混合水栓を用いた蛇口においては、容易に４０°Ｃ以上の温水を得ることができるため、上記特許文献１に開示される逆浸透膜浄水装置のコックを混合水栓に接続し、不注意により４０°Ｃ以上の温水を逆浸透膜浄水装置に供給した場合には、逆浸透膜浄水装置の逆浸透膜フィルタが破損してしまうおそれがある。
【特許文献１】登録実用新案公報第３０２４４６７号
【考案の開示】
【考案が解決しようとする課題】
【０００６】
この考案が解決しようとする課題は、家庭で用いられる逆浸透膜浄水装置においては、不注意により所定温度以上の温水を逆浸透膜浄水装置に供給した場合には、逆浸透膜浄水装置の逆浸透膜フィルタが破損してしまう点にある。
【０００７】
したがって、本考案の目的は、所定温度以上の温水による逆浸透膜浄水装置の破損を未然に防止することのできる機構を備えた逆浸透膜浄水装置を提供することにある。
【課題を解決するための手段】
【０００８】
この考案に基づいた逆浸透膜浄水装置においては、原水取水口および浄水吐出口を含む逆浸透膜浄水ユニットと、上記原水取水口に至る管路に設けられ、上記逆浸透膜浄水ユニットに導入される原水の温度が所定温度以上の場合に、上記逆浸透膜浄水ユニットへの原水の吐出を遮断する原水遮断ユニットとを備えている。
【０００９】
また、この考案に基づいた逆浸透膜浄水装置の他の形態においては、蛇口に連結され、原水をそのまま導出する状態と、原水を上記原水取水口に導き、上記逆浸透膜浄水ユニットによって浄化され上記浄水吐出口から導出された浄水を導出する状態と、の状態切換が可能な切換コックをさらに備えている。
【００１０】
また、この考案に基づいた逆浸透膜浄水装置の他の形態においては、上記原水遮断ユニットは、上記切換コックに設けられる原水吐出ポートと、上記逆浸透膜浄水ユニットに設けられる原水取水口との間に設けられている。
【００１１】
また、この考案に基づいた逆浸透膜浄水装置の他の形態においては、上記原水遮断ユニットは、お湯と水道水とを混合する混合栓と蛇口との間に設けられている。
【００１２】
また、この考案に基づいた逆浸透膜浄水装置の他の形態においては、上記原水遮断ユニットは、お湯と水道水とを混合する混合栓から蛇口に至る配管と上記逆浸透膜浄水ユニットに設けられる原水取水口との間に設けられている。
【００１３】
また、この考案に基づいた逆浸透膜浄水装置の他の形態においては、上記原水遮断ユニットは、原水取水口と原水吐出口とを有する中空のケース部材と、上記中空のケース部材の内部に設けられ、上記ケース部材の内部を通過する原水の温度が所定温度以下の場合には、上記原水吐出口を開放する状態となり、上記ケース部材の内部を通過する原水の温度が所定温度以上の場合には、上記原水吐出口を閉塞する状態となる温度検知部材と、を有している。
【００１４】
また、この考案に基づいた逆浸透膜浄水装置の他の形態においては、上記原水遮断ユニットは、上記ケース部材内において、上記原水取水口と上記原水吐出口との間に固定配置され、原水の通過を許容するベース部材を有し、上記温度検知部材は、上記ベース部材から上記原水吐出口に向かって延びるように設けられるコイル状部材を有し、上記コイル状部材の先端部には、上記原水吐出口を閉塞することが可能なように設けられる閉塞プレートが設けられ、上記コイル状部材は、上記ケース部材の内部を通過する原水の温度が所定温度以下の場合には、上記閉塞プレートが上記原水吐出口を開放する状態となる長さとなり、上記ケース部材の内部を通過する原水の温度が所定温度以上の場合には、上記閉塞プレートが上記原水吐出口を閉塞する状態となる長さとなる。
【００１５】
また、この考案に基づいた逆浸透膜浄水装置の他の形態においては、上記温度検知部材は、上記原水吐出口に設けられる弁状部材を有し、上記弁状部材は、上記ケース部材の内部を通過する原水の温度が所定温度以下の場合には、上記弁状部材が上記原水吐出口を開放する状態となり、上記ケース部材の内部を通過する原水の温度が所定温度以上の場合には、上記弁状部材が上記原水吐出口を閉塞する状態となる。
【００１６】
また、この考案に基づいた逆浸透膜浄水装置の他の形態においては、上記温度検知部材は形状記憶合金である。
【００１７】
また、この考案に基づいた逆浸透膜浄水装置の他の形態においては、上記原水遮断ユニットは、原水の温度が４０度以上の場合に、上記逆浸透膜浄水ユニットへの原水を遮断する。
【００１８】
また、この考案に基づいた逆浸透膜浄水装置の他の形態においては、上記逆浸透膜浄水ユニットは、上記原水取水口から導入された原水を浄化する第１逆浸透膜浄水フィルタと、上記第１逆浸透膜浄水フィルタにより浄化されなかった原水を浄化する第２逆浸透膜浄水フィルタとを有している。
【考案の効果】
【００１９】
この考案に基づいた逆浸透膜浄水装置によれば、逆浸透膜浄水ユニットに導入される原水の温度が所定温度以上の場合に、逆浸透膜浄水ユニットへの原水を遮断する原水遮断ユニットを備えている。これにより、家庭等で用いられる場合において、不注意により所定温度以上の温水を逆浸透膜浄水ユニットに供給した場合であっても、原水遮断ユニットにより逆浸透膜浄水ユニットへの温水の供給が遮断され、所定温度以上の温水による逆浸透膜浄水ユニットの破損を未然に防止することを可能とする。
【考案を実施するための最良の形態】
【００２０】
以下、本考案に基づいた実施の形態における逆浸透膜浄水装置の構造について、図１から図５を参照しながら説明する。また、図１は、本実施の形態における逆浸透膜浄水装置に採用される逆浸透膜浄水ユニット１００の外観構成を示す正面側斜視図である、図２は、本実施の形態における逆浸透膜浄水装置に採用される逆浸透膜浄水ユニット１００の外観構成を示す背面側斜視図であり、図３は、逆浸透膜浄水ユニット１００の内部構造を示す図であり、図４は、逆浸透膜浄水ユニット１００の浄水回路を示す図であり、図５は、本実施の形態における逆浸透膜浄水装置１００を水道蛇口５０に取り付けた状態を示す図である。
【００２１】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組み合わせることは、当初から予定されている。
【００２２】
（逆浸透膜浄水ユニット１００の外観）
本実施の形態における逆浸透膜浄水装置は、大別すると、逆浸透膜浄水ユニット１００、切換コック２００、および、原水遮断ユニット３００を有している。まず、図１および図２を参照して、逆浸透膜浄水ユニット１００について説明する。逆浸透膜浄水ユニット１００は、箱型の筐体構造を有し、本体ボックス１５１と、カバー１５２とを有している。本体ボックス１５１の背面側には、原水取水口１２１、浄水吐出口１２２、および、排水吐出口１２３が設けられている。
【００２３】
（逆浸透膜浄水ユニット１００の浄水回路構成）
次に、図３および図４を参照して、逆浸透膜浄水ユニット１００の浄水回路構成について説明する。原水取水口１２１から導入された原水は、パイプ１を通過してプレフィルタ１０１に導入される。プレフィルタ１０１を通過した原水は、パイプ２に吐出される。パイプ２には、プレッシャスイッチ１１０が接続された分岐パイプ２Ａが連結され、パイプ２内に原水が送られた場合に、その水圧を感知して、パイプ２に設けられたポンプ１１１を駆動させる。
【００２４】
ポンプ１１１の起動により水圧が上げられた原水は、パイプ３に吐出され、第１逆浸透膜浄水フィルタ１０２に送り込まれる。第１逆浸透膜浄水フィルタ１０２で浄化された浄化水は、パイプ４に吐出され、パイプ６と合流して浄水吐出口１２２から吐出される。
【００２５】
第１逆浸透膜浄水フィルタ１０２で浄化されなかった原水は、パイプ５に吐出され、第２逆浸透膜浄水フィルタ１０３に送り込まれる。第２逆浸透膜浄水フィルタ１０３で浄化された浄化水は、パイプ６に吐出され浄水吐出口１２２から吐出される。第２逆浸透膜浄水フィルタ１０３で浄化されなかった原水は、パイプ７に吐出され排水吐出口１２３から外部に排水される。
【００２６】
（切換コック２００と逆浸透膜浄水ユニット１００との連結）
次に、図５を参照して、切換コック２００と逆浸透膜浄水ユニット１００との連結について説明する。切換コック２００は、水道水道蛇口５０に連結される構造を有し、切換レバー２０１を第１の状態にすると、原水をそのまま吐出口２０２から導出する状態となり、切換レバー２０１を回転させて第２の状態にすると、原水を逆浸透膜浄水ユニット１００に送り出し、逆浸透膜浄水ユニット１００で浄化された浄水を吐出口２０２から導出する状態との、２状態の選択が可能となっている。
【００２７】
切換コック２００を第２の状態にした場合には、原水は原水吐出ポート２１２からパイプ２１４により逆浸透膜浄水ユニット１００の原水取水口１２１に導出される。逆浸透膜浄水ユニット１００によって浄化された浄水は、浄水吐出口１２２からパイプ２１３により切換コック２００の浄水取水ポート２１１に導出される。浄水取水ポート２１１から入力した浄水は、切換コック２００の吐出口２０２から吐出されることになる。なお、排水吐出口１２３には、排水用パイプ２１５が連結されている。
【００２８】
（原水遮断ユニット３００）
さらに、本実施の形態における逆浸透膜浄水装置においては、原水遮断ユニット３００が、切換コック２００に設けられる原水吐出ポート２１２と、逆浸透膜浄水ユニット１００に設けられる原水取水口１２１との間のパイプ２１４の中間領域に設けられている。
【００２９】
この原水遮断ユニット３００は、逆浸透膜浄水ユニット１００に導入される原水の温度が所定温度以上の場合に、逆浸透膜浄水ユニット１００への原水の吐出を遮断する機能を有している。原水の温度に関しては、逆浸透膜浄水装置に用いられる第１逆浸透膜浄水フィルタ１０２および第２逆浸透膜浄水フィルタ１０３に用いられる、セルロースを用いた膜の耐熱温度が約４０°Ｃであることから、本実施の形態においては、約４０°Ｃの原水が原水遮断ユニット３００に吐出された場合には、逆浸透膜浄水ユニット１００への原水の吐出を遮断する。なお、約４０°Ｃは一例であって、逆浸透膜浄水装置に用いられる逆浸透膜浄水フィルタの耐熱温度に応じて設定すべきものである。
【００３０】
（原水遮断ユニット３００の構成）
次に、図６および図７を参照して、原水遮断ユニット３００の構成について説明する。なお、図６は、原水遮断ユニット３００の閉塞プレート３０４により原水吐出口が開放された状態を示す縦断面図であり、図７は、原水遮断ユニット３００の閉塞プレート３０４により原水吐出口が閉塞された状態を示す縦断面図である。
【００３１】
この原水遮断ユニット３００は、原水取水口３０１ａと原水吐出口３０１ｂとを有する中空のケース部材３０１を有している。ケース部材３０１の原水取水口３０１ａおよび原水吐出口３０１ｂには、それぞれ締結具３１１，３１２を用いて、パイプ２１４が固定されている。
【００３２】
ケース部材３０１の内部には、原水取水口３０１ａと原水吐出口３０１ｂとの間の空間に固定配置され、原水の通過を許容するベース部材３０２が設けられている。本実施の形態において、このベース部材３０２はメッシュ状のプレート部材から構成されている。
【００３３】
ベース部材３０２には、このベース部材３０２から原水吐出口３０１ｂに向かって延びるように設けられ、温度検知部材としてコイル状部材３０３が設けられている。本実施の形態において、このコイル状部材３０３には、形状記憶合金が用いられている。コイル状部材３０３の先端部には、原水吐出口３０１ｂをケース部材３０１の内部側から閉塞することが可能な閉塞プレート３０４が設けられている。
【００３４】
コイル状部材３０３は、ケース部材３０１の内部を通過する原水の温度が約４０°Ｃ以下の場合には、図６に示す状態（縮んだ状態）となり、閉塞プレート３０４が原水吐出口３０１ｂを開放する状態となる。この状態では、原水吐出口３０１ｂが開放されていることから、原水取水口３０１ａから取り入れられた原水は、ケース部材３０１の内部を通過して、原水吐出口３０１ｂから吐出される。
【００３５】
また、ケース部材３０１の原水の流れ方向に対する横断面積の大きさを、閉塞プレート３０４の平面積よりも大きく設けることで、閉塞プレート３０４の原水の流れから受ける圧力を小さくすることができる。
【００３６】
一方、図７に示すように、ケース部材３０１の内部を通過する原水の温度が約４０°Ｃ以上の場合には、コイル状部材３０３が原水吐出口３０１ｂを閉塞する状態となる長さにまで延びることにより、原水吐出口３０１ｂが閉塞プレート３０４により閉塞されることになる。
【００３７】
（温度検知部材の他の形態）
次に、図８および図９を参照して、原水遮断ユニット３００に採用される温度検知部材の他の形態について説明する。なお、図８は、原水遮断ユニット３００の弁状部材３２１により原水吐出口が開放された状態を示す縦断面図であり、図９は、原水遮断ユニット３００の弁状部材３２１により原水吐出口が閉塞された状態を示す縦断面図である。
【００３８】
この形態における温度検知部材は、原水吐出口３０１ｂに設けられる弁状部材３２１を有している。この弁状部材３２１には、形状記憶合金が用いられている。弁状部材３２１は、ケース部材３０１の内部を通過する原水の温度が約４０°Ｃ以下の場合には、図８に示すように、弁状部材３２１が反ることで原水吐出口を開放する状態となり、原水の通過を許容する。
【００３９】
一方、ケース部材３０１の内部を通過する原水の温度が約４０°Ｃ以上の場合には、図９に示すように、弁状部材３２１が延び、原水吐出口３０１ｂを閉塞する状態となる。
【００４０】
以上、本実施の形態における逆浸透膜浄水装置によれば、逆浸透膜浄水ユニット１００に導入される原水の温度が約４０°Ｃ以上の場合に、逆浸透膜浄水ユニット１００への原水を遮断する原水遮断ユニット３００を備えている。これにより、家庭等で用いられる場合において、不注意により約４０°Ｃ以上の温水を逆浸透膜浄水ユニット１００に供給した場合であっても、原水遮断ユニット３００により逆浸透膜浄水ユニット１００への温水の供給が遮断され、約４０°Ｃ以上の温水による逆浸透膜浄水ユニット１００の破損を未然に防止することができる。
【００４１】
なお、上記実施の形態においては、原水遮断ユニット３００を、切換コック２００に設けられる原水吐出ポート２１２と、逆浸透膜浄水ユニット１００に設けられる原水取水口１２１との間のパイプ２１４の中間領域に設けた場合について説明したが、原水遮断ユニット３００の設置は、この場所に限定されるものではない。
【００４２】
たとえば、図１０に示すように、水道蛇口５０の下方における水道水配管５１とお湯配管５４とが、混合栓５２により連結されている状態において、混合栓５２と水道蛇口５０との間の配管５３に原水遮断ユニット３００を設置する構成を採用しても、上記実施の形態の場合と同様の作用効果を得ることが可能である。
【００４３】
また、図１１に示すように、水道水配管５１とお湯配管５４とが、混合栓５２により連結されている状態において、この混合栓５２から蛇口５０に至る配管５３に分岐配管５５を設け、この分岐配管５５と逆浸透膜浄水ユニット１００の原水取水口１２１との間のパイプ２１４に、原水遮断ユニット３００を設ける構成の採用も可能である。
【００４４】
以上、本考案に基づく実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【図面の簡単な説明】
【００４５】
【図１】この考案に基づいた実施の形態における逆浸透膜浄水装置に採用される浸透膜浄水ユニットの外観構成を示す正面側斜視図である。
【図２】この考案に基づいた実施の形態における逆浸透膜浄水装置に採用される浸透膜浄水ユニットの外観構成を示す背面側斜視図である。
【図３】この考案に基づいた実施の形態における逆浸透膜浄水ユニットの内部構造を示す図である。
【図４】この考案に基づいた実施の形態における逆浸透膜浄水ユニットの浄水回路を示す図である。
【図５】この考案に基づいた実施の形態における逆浸透膜浄水装置を蛇口に取り付けた状態を示す図である。
【図６】この考案に基づいた実施の形態における原水遮断ユニットの閉塞プレートにより原水吐出口が開放された状態を示す縦断面図である。
【図７】この考案に基づいた実施の形態における原水遮断ユニットの閉塞プレートにより原水吐出口が閉塞された状態を示す縦断面図である。
【図８】この考案に基づいた実施の形態における原水遮断ユニットの弁状部材により原水吐出口が開放された状態を示す縦断面図である。
【図９】この考案に基づいた実施の形態における原水遮断ユニットの弁状部材により原水吐出口が閉塞された状態を示す縦断面図である。
【図１０】この考案に基づいた実施の形態における原水遮断ユニットの他の取付け形態を示す模式図である。
【図１１】この考案に基づいた実施の形態における原水遮断ユニットのさらに他の取付け形態を示す模式図である。
【符号の説明】
【００４６】
１，２，３，４，５，６，７，２１３，２１４  パイプ、２Ａ  分岐パイプ、５０  水道蛇口、５１  水道水配管、５２  混合栓、５３  配管、５４  お湯配管、５５  分岐配管、１００  逆浸透膜浄水ユニット、１０１  プレフィルタ、１０２  第１逆浸透膜浄水フィルタ、１０３  第２逆浸透膜浄水フィルタ、１１０  プレッシャスイッチ、１１１  ポンプ、１２１  原水取水口、１２２  浄水吐出口、１２３  排水吐出口、１５１  本体ボックス、１５２  カバー、２００  切換コック、２０１  切換レバー、２０２  吐出口、２１１  浄水取水ポート、２１２  原水吐出ポート、２１５  排水用パイプ、３００  原水遮断ユニット、３０１  ケース部材、３０１ａ  原水取水口、３０１ｂ  原水吐出口、３０２  ベース部材、３０３  コイル状部材、３０４  閉塞プレート、３１１，３１２  締結具。
【図１】
0003148445.tif 000003
【図２】
0003148445.tif 000004
【図３】
0003148445.tif 000005
【図４】
0003148445.tif 000006
【図５】
0003148445.tif 000007
【図６】
0003148445.tif 000008
【図７】
0003148445.tif 000009
【図８】
0003148445.tif 000010
【図９】
0003148445.tif 000011
【図１０】
0003148445.tif 000012
【図１１】
0003148445.tif 000013